(57)【要約】【課題】外乱光の影響でディスクのローディングができない場合には、その旨をユーザに通知するディスク再生装置を提供する。【解決手段】ディスク再生装置が、外乱光の影響によりディスクを正常に検出することが困難な場合には、検出不能信号を出力してその旨をユーザに通知するようにしたので、ユーザは、装置が故障しているわけではなく、外乱光によりディスクが正常に検知できない状態であるということを認識することができるとともに、適切に対処することにより、外乱光の影響があってもディスクを正常にローディングすることができる。【選択図】図１
2013020666.tif 000002
【特許請求の範囲】
【請求項１】
ディスク挿入路に向けて発光する発光部と、前記発光部から発光され前記ディスク挿入路を横切った光を受光可能な受光部と、前記発光部の発光及び非発光を制御する制御部とを備え、
前記制御部が、前記発光部が発光しているときの前記受光部の受光レベルが第１の閾値より大きいか否かに基づいて、前記ディスクのあり／なしを判定することにより、前記ディスクのローディングが開始されるか否かが決定されるディスク再生装置であって、
検出不能信号を受信した場合に、前記ディスクの検出不能状態であることをユーザに通知する検出不能通知部を備え、
前記制御部は、前記発光部が非発光のときの前記受光部の受光レベルが第２の閾値より大きい場合に、前記ディスクの検出不能状態であると判定して、前記検出不能信号を前記検出不能通知部に出力する
ことを特徴とするディスク再生装置。
【請求項２】
前記検出不能通知部は表示部であり、
当該表示部は、前記制御部から前記検出不能信号を受信した場合に、文字、画像または映像を表示することにより、前記検出不能状態であることをユーザに通知する
ことを特徴とする請求項１記載のディスク再生装置。
【請求項３】
前記検出不能通知部は音声出力部であり、
当該音声出力部は、前記制御部から前記検出不能信号を受信した場合に、音声メッセージを出力することにより、前記検出不能状態であることをユーザに通知する
ことを特徴とする請求項１記載のディスク再生装置。
【請求項４】
前記検出不能通知部は専用通知部であり、
当該専用通知部は、前記制御部から前記検出不能信号を受信した場合に、当該信号を出力することにより、前記検出不能状態であることをユーザに通知する
ことを特徴とする請求項１記載のディスク再生装置。
【請求項５】
前記制御部は、前記発光部が非発光のときの前記受光部の受光レベルを前記第１の閾値に加えた値を新たな第１の閾値として、前記ディスクのあり／なしを判定する
ことを特徴とする請求項１から請求項４のうちのいずれか１項記載のディスク再生装置。
【請求項６】
前記制御部は、前記発光部が非発光のときの前記受光部の受光レベルが前記第１の閾値以上である場合には、前記発光部の発光量を上げるとともに前記受光部の受光感度を下げた後に、前記受光部の受光レベルを再度測定して、前記ディスクのあり／なしを判定する
ことを特徴とする請求項１から請求項５のうちのいずれか１項記載のディスク再生装置。
【発明の詳細な説明】
【技術分野】
【０００１】
この発明は、光センサを用いたディスク再生装置に関するものである。
【背景技術】
【０００２】
例えば、車載用等のディスク再生装置は、筐体の前面に挿入口を設け、ディスクを挿入口から挿入すると、ディスクが筐体内部に設けられた搬送ローラによってローディングされるようになっている。このようなディスク再生装置では、挿入口から挿入されたディスクを光センサで検出し、この検出結果を受けて搬送ローラが回転し始め、ディスクがローディングされる。
【０００３】
しかしながら、このような光センサを用いたディスク再生装置では、外乱光の影響を受けるとディスク検出を正常に行うことができないという問題があった。
このような問題に対処するものとして、光センサの周囲を覆う等の対策を施すことにより、外乱光を遮断することが考えられる（例えば、特許文献１参照）。
【先行技術文献】
【特許文献】
【０００４】
【特許文献１】特開平８−１９０７６３号公報
【発明の概要】
【発明が解決しようとする課題】
【０００５】
しかしながら、従来のディスク再生装置において、ディスクの挿入を検出するための光センサに対して周囲を覆う等の対策を施す場合には、部品点数の増加やスペースの問題が発生するだけでなく、太陽光などの外乱光が強い場合には、その外乱光がディスクを伝わって光センサの受光部に当たってしまい、光センサの周囲を覆う等の対策が施されているにもかかわらず、ディスクの存在を検出できずにディスクが正常にローディングされないため、ユーザがディスク再生装置の故障であると誤解してしまうという課題があった。
【０００６】
この発明は、上記のような課題を解決するためになされたものであり、外乱光の影響でディスクのローディングができない場合には、その旨をユーザに通知するディスク再生装置を提供することを目的とする。
【課題を解決するための手段】
【０００７】
上記目的を達成するため、この発明は、ディスク挿入路に向けて発光する発光部と、前記発光部から発光され前記ディスク挿入路を横切った光を受光可能な受光部と、前記発光部の発光及び非発光を制御する制御部とを備え、前記制御部が、前記発光部が発光しているときの前記受光部の受光レベルが第１の閾値より大きいか否かに基づいて、前記ディスクのあり／なしを判定することにより、前記ディスクのローディングが開始されるか否かが決定されるディスク再生装置であって、検出不能信号を受信した場合に、前記ディスクの検出不能状態であることをユーザに通知する検出不能通知部を備え、前記制御部は、前記発光部が非発光のときの前記受光部の受光レベルが第２の閾値より大きい場合に、前記ディスクの検出不能状態であると判定して、前記検出不能信号を前記検出不能通知部に出力することを特徴とする。
【発明の効果】
【０００８】
この発明のディスク再生装置によれば、外乱光の影響によりディスクを正常に検出することが困難な場合には、その旨をユーザに通知することにより、ユーザは、装置が故障しているわけではなく、外乱光によりディスクが正常に検知できない状態であるということを認識することができるとともに、適切に対処することにより、外乱光の影響があってもディスクを正常にローディングすることができる。
【図面の簡単な説明】
【０００９】
【図１】この発明におけるディスク再生装置の概略構成を示すブロック図である。
【図２】ディスク挿入時のディスク検出部分の概略を示す上面図および側面図である。
【図３】この発明の実施の形態１に係るディスク再生装置における光センサ２、発光部回路３、受光部回路４の全体回路構成例を示す図である。
【図４】この発明の実施の形態１に係るディスク再生装置において、ディスクのあり／なしを検出する処理を説明する図である。
【図５】表示部６が検出不能信号を受信した場合の表示画面例である。
【図６】この発明の実施の形態２に係るディスク再生装置の動作を示すフローチャートである。
【図７】この発明の実施の形態２に係るディスク再生装置において、ディスクのあり／なしを検出する処理を説明する図である。
【図８】この発明の実施の形態３に係るディスク再生装置における光センサ２、発光部回路３、受光部回路４の全体回路構成例を示す図である。
【図９】この発明の実施の形態３に係るディスク再生装置の動作を示すフローチャートである。
【図１０】この発明の実施の形態３に係るディスク再生装置において、ディスクのあり／なしを検出する処理を説明する図である。
【発明を実施するための形態】
【００１０】
以下、この発明の実施の形態について、図面を参照しながら詳細に説明する。
実施の形態１．
図１は、この発明の実施の形態１に係るディスク再生装置の概略構成を示すブロック図である。図１に示されるように、このディスク再生装置は、制御部１、光センサ２、発光部回路３、受光部回路４、操作パネル５、表示部６、音声出力部７により構成される。また、必要であれば、専用通知部８も備えるものとする。
【００１１】
制御部１は、例えばマイクロコンピュータ等で構成され、ディスクのあり／なしを検出する光センサの制御、ディスクのローディング／イジェクトなどの機構制御、ディスクの再生処理などのディスク再生装置全体の制御を行うとともに、ディスクを検出不能と判断した場合には、検出不能信号を後述する検出不能通知部に出力する。
【００１２】
光センサ２は、発光部２１と受光部２２で構成され、例えば、発光部２１はＬＥＤであり、受光部２２はフォトトランジスタである。
発光部回路３は、制御部１からの発光制御信号を受けて発光部２１のＯＮ／ＯＦＦ（発光／非発光）を切替える。
受光部回路４は、受光部２２から流れる受光電流を受光電圧に変換し制御部１へ出力する。
【００１３】
操作パネル５は、例えばタッチパネル、ボタン等で構成され、ユーザがディスク再生装置を動作させるために使用するものである。
表示部６は、例えば液晶モニタなどであり、制御部１からの再生信号を受けて再生中のディスクに記録されている映像などを表示する。また、制御部１から検出不能信号を受信した場合には、外乱光によりディスク検出不能状態になっていること、および対策としてディスク挿入口を手で覆い外乱光を遮るといった方法があること等を画面に表示し、ユーザに通知する。
【００１４】
音声出力部７は、例えばスピーカーやアンプ等であり、制御部１からの再生信号を受けて再生中のディスクに記録されている音声などを出力する。また、制御部１から検出不能信号を受信した場合には、外乱光によりディスク検出不能状態になっていること、および対策としてディスク挿入口を手で覆い外乱光を遮るといった方法があること等を、音声でユーザに通知する。
また、専用通知部８は、例えばＬＥＤランプ、ブザー等で構成され、制御部１から検出不能信号を受信した場合にＬＥＤランプ、ブザー等をＯＮにすることで、外乱光によりディスク検出不能状態になっていることをユーザに通知する。
【００１５】
上記、表示部６、音声出力部７または専用通知部８が、この発明における検出不能通知部を構成するものであり、制御部１から出力された検出不能信号を受信した場合に、ディスクの検出不能状態であることをユーザに通知する。
なお、外乱光によりディスクが検出不能状態となっていることをユーザに通知する手段である検出不能通知部としては、必ずしも表示部６、音声出力部７、専用通知部８のすべてが必要というわけではなく、通知手段としていずれか一つでも備えていればよい。
【００１６】
図２は、この発明の実施の形態１に係るディスク再生装置において、ディスク挿入時のディスク検出部分の概略を示す上面図および側面図である。
このディスク再生装置１０は、ディスクのあり／なし（ディスクが挿入されたか否か）を検出するために、ディスク挿入路に向けて発光する発光部２１と、発光部２１から発光されディスク挿入路を横切った光を受光可能な受光部２２と、発光部２１からの光を透過させて光を導くプリズム１２を備え、ディスクが挿入されていない場合には、そのプリズム１２から導かれた光を受光部２２が検出できるように配置されている。また、発光部２１と受光部２２に、太陽光などの外乱光の影響ができるだけ及ばないようにするための遮光板１４も備えている。これにより、ディスクなしの場合には、図２（ａ）に示すように、発光部２１から発光されディスク挿入路を横切った光はほぼ垂直にプリズム１２の斜面に当たり、プリズム１２内を透過してもう一方の斜面で反射して、再びディスク挿入路を横切って受光部２２に導かれる。
【００１７】
また、ディスク１１を挿入すると、図２（ｂ）に示すように、ディスク１１によって発光部２１からの光が遮られ、プリズム１２に届かず、発光部２１からの光は受光部２２で検出されない。そして、発光部２１をＯＮにした（発光した）にもかかわらず受光部２２で光が検出されないことにより、ディスク１１が挿入されたこと（ディスクあり）が検出され、ディスク搬送ローラ１３が始動してディスク１１がディスク再生装置１０の内部へローディングされる。そして、ディスク１１のローディングが完了すると、図２（ｃ）に示す状態になり、ディスクの読み取り、再生が行われる。
なお、このディスク再生装置１０ではプリズム１２を備えるものとしたが、発光部２１から発光された光がディスク挿入路を横切って受光部２２に導かれるものであれば、プリズム１２以外の構成であっても構わない。
【００１８】
図３は、この発明の実施の形態１に係るディスク再生装置における光センサ２、発光部回路３、受光部回路４の全体回路構成例を示す図である。発光制御信号によりトランジスタＴｒ１をＯＮ／ＯＦＦすることでＬＥＤ（発光部２１）のＯＮ／ＯＦＦを制御する。ＬＥＤの発光量は抵抗Ｒ１で制御する。フォトトランジスタＰＴ（受光部２２）が流す受光電流は抵抗Ｒ２で受光電圧に変換し、制御部１へ出力する。
【００１９】
ここで、この発明の実施の形態１に係るディスク再生装置において、ディスクのあり／なしを検出する内部処理について、図４を参照しながら説明する。この際、発光部２１からの光がディスクに遮られると受光部２２の受光電圧が変化することを利用する。
なお、発光部２１がＯＦＦのときの受光部２２の受光レベル（受光電圧）Ｖｏｆｆは、太陽光などの外乱光がない場合にはグランド（ＧＮＤ）レベルであり、外乱光がある場合には、その外乱光を受光したことによって生じる電圧となる。一方、発光部２１がＯＮのときの受光部２２の受光レベル（受光電圧）Ｖｏｎは、外乱光がない場合には発光部２１からの光のみを受光したことによって生じる受光電圧となり、外乱光がある場合には、その外乱光および発光部２１からの光の両方を受光したことによって生じる電圧となる。
【００２０】
まず、制御部１が、発光部２１を周期的にＯＮ／ＯＦＦ（発光／非発光）させる。そして、ディスクなし状態のときには、図４（ａ）に示すように、発光部２１のＯＮ／ＯＦＦに伴って、受光部２２の受光電圧も大きく変化する。ここで、太陽光などの外乱光がない場合には、発光部２１がＯＦＦのときには受光部２２の受光レベル（受光電圧）はグランド（ＧＮＤ）レベルであり、発光部２１がＯＮのときには受光部２２の受光レベル（受光電圧）が基準閾値Ｖｔｈ（第１の閾値）を超えてＨｉ状態となる。これにより、制御部１は、受光部２２で正常に光を受光できている、すなわち、ディスクなし状態であると判定する。なお、基準閾値Ｖｔｈ（第１の閾値）は、あらかじめ設定されているものとする。
【００２１】
一方、ディスクあり状態のときには、図４（ｂ）に示すように、発光部２１をＯＮ／ＯＦＦさせても、発光部２１からの光はディスクに遮られて受光部２２に達しないため、発光部２１がＯＮのときにも受光部２２の受光レベル（受光電圧）が基準閾値Ｖｔｈ（第１の閾値）より小さいままのＬｏ状態となる。これにより、制御部１は、ディスクあり状態であると判断する。
【００２２】
しかしながら、太陽光などの外乱光により、発光部２１がＯＦＦ（非発光）のときの受光部２２の受光レベル（受光電圧）Ｖｏｆｆがグランド（ＧＮＤ）レベルより高い状態となると、図４（ｃ）に示すように、発光部２１をＯＮさせたとき、ディスクがあるにもかかわらず受光部２２の受光レベル（受光電圧）が基準閾値（第１の閾値）を超えてＨｉ状態となることがある。この場合、制御部１は、ディスクなし状態であると判定してしまい、その結果、ディスクのローディングが開始されず、ユーザはディスク再生装置の故障であると誤解してしまう。
【００２３】
そこで、制御部１は、図４（ｃ）に示すように、発光部２１がＯＦＦのときに測定した受光部２２の受光電圧Ｖｏｆｆが、所定の閾値（第２の閾値）よりも大きい場合、すなわち、本来のＧＮＤ値よりも所定の値（第２の閾値）以上高いことを検出すると、外乱光による誤検知状態であると判定し、ユーザに外乱光により検出不能となっていることを通知するために、検出不能通知部（表示部６、音声出力部７または専用通知部８）に検出不能信号を出力する。なお、この検出不能か否かを判定するための所定の閾値（第２の閾値）については、発光部２１がＯＦＦのときに測定した受光部２２の受光電圧Ｖｏｆｆがそれ以上高いと、ディスクがあるにもかかわらず、ディスクなしと判定してしまうＶｏｆｆの下限値として、あらかじめ設定されているものとする。
【００２４】
そして、検出不能通知部（表示部６、音声出力部７または専用通知部８）は、制御部１から検出不能信号を受信した場合に、外乱光によりディスク検出不能状態になっていることや、対策としてディスク挿入口を手で覆い外乱光を遮るといった方法があること等をユーザに通知する。これにより、ユーザは、装置が故障しているわけではなく、外乱光によりディスクが正常に検知できない状態にあるということを認識することができる。
【００２５】
図５は、表示部６が検出不能信号を受信した場合に、検出不能状態であることをユーザに通知する表示画面例である。この場合、例えば図５（ａ）に示すように、「外乱光によりディスクをローディングできません。ディスク挿入口を手などで覆ってください。」という文字（文章）を表示することにより、ディスク再生装置の故障ではなく、外乱光によってディスクを検出できない状態であるということを通知するとともに、ディスクをローディングするための対策をユーザに提示する。また、図５（ｂ）に示すように、文字ではなく画像または映像を表示することによって、外乱光によってディスクが挿入できない状態であることを示すとともに、手などで覆うという対策を提示するようにしてもよい。なお、図５に示す表示画面は一例にすぎず、文字と画像や映像を組み合わせたものなど、どのような表示方式であっても構わない。
【００２６】
また、表示部６ではなく、音声出力部７により、例えば「外乱光によりディスクをローディングできません。ディスク挿入口を手などで覆ってください。」という音声メッセージを出力することにより、検出不能状態であることをユーザに通知するようにしてもよい。
さらに、表示部６や音声出力部７によるものでなく、専用のＬＥＤランプやブザー等の専用通知部８を備え、その専用通知部８が検出不能信号を受信した場合に、その信号を出力して専用のＬＥＤランプを点灯させたりブザーを鳴らす等により、検出不能状態であることをユーザに通知するようにしてもよい。この場合にも、ユーザは、外乱光によりディスクがローディングできない状態であることを認識することができ、手などで覆うという対策をとることができる。
【００２７】
なお、上記のとおり、表示部６や音声出力部７を介して、外乱光によりディスク検出不能状態であることをユーザに通知することが可能であれば、専用通知部８は必ずしも必要ではないが、この専用通知部８を備えることにより、図５に示すような表示部６による表示画面や、音声出力部７からの「外乱光によりディスクをローディングできません。ディスク挿入口を手などで覆ってください。」というような音声メッセージによらなくとも、外乱光によるディスク検出不能状態を示す専用のＬＥＤランプが点灯したりブザーが鳴ることにより、ユーザはそれを認識し、対処することができる。
【００２８】
以上のように、この発明の実施の形態１に係るディスク再生装置によれば、外乱光の影響によりディスクを正常に検出することが困難な場合には、その旨をユーザに通知することにより、ユーザは、装置が故障しているわけではなく、外乱光によりディスクが正常に検知できない状態であるということを認識することができるとともに、適切に対処することにより、外乱光の影響があってもディスクを正常にローディングすることができる。
【００２９】
実施の形態２．
この発明の実施の形態２に係るディスク再生装置は、実施の形態１に係るディスク再生装置において、さらに、外乱光への耐性を向上するために、発光部２１がＯＦＦのときに測定した受光部２２の受光電圧（外乱光の強度）に基づいて、ディスクのあり／なしを判定するための閾値（第１の閾値）を変更するものである。なお、ディスク再生装置の構成及び光センサの全体回路構成については、実施の形態１における図１〜図３と同じであるため、説明を省略する。
【００３０】
図６は、この発明の実施の形態２に係るディスク再生装置の動作を示すフローチャートである。また、図７は、ディスクのあり／なしを検出する処理を説明する図であり、ここでは、ディスクありの場合を示している。以下、図６及び図７に沿って、この発明の実施の形態２に係るディスク再生装置の動作を説明する。
なお、発光部２１は、制御部１からの制御信号により一定の周期でＯＮ／ＯＦＦの切替えが行われているものとする。
【００３１】
まず、発光部２１がＯＦＦとなるタイミングを待つ。そして、発光部２１がＯＦＦとなったとき、受光部２２からの出力電流を受光部回路４で電圧に変換し、発光部２１がＯＦＦのとき（非発光のとき）の受光部２２の受光電圧Ｖｏｆｆとして制御部１に出力する（ステップＳＴ０１）。この受光電圧Ｖｏｆｆは、太陽光などの外乱光によって生じる電圧であり、外乱光の影響をまったく受けていないときにはグランドレベル（ＧＮＤ）であり、また、外乱光の影響が大きい環境ではＶｏｆｆは大きく、外乱光の影響が小さい環境下ではＶｏｆｆは小さくなる。
【００３２】
次に、測定した受光電圧Ｖｏｆｆを、あらかじめ設定された基準閾値Ｖｔｈ（第１の閾値）と比較する（ステップＳＴ０２）。Ｖｏｆｆ＜Ｖｔｈである場合（ステップＳＴ０２のＹＥＳの場合）には、ステップＳＴ０３へ進む。
【００３３】
ステップＳＴ０３では、検出不能信号がＯＮになっているか確認し、ＯＮになっていれば信号をＯＦＦに切替える（ステップＳＴ０３へ進んだ場合、検出不能とはならないため）。
続いて、発光部２１がＯＮになるタイミングまで待った後、受光部２２からの出力電流を受光部回路４で電圧に変換し、発光部２１がＯＮのとき（発光時）の受光電圧Ｖｏｎとして制御部１に入力する（ステップＳＴ０４）。
【００３４】
このとき、外乱光の影響が大きい場合には、図７（ａ）に示すように、ディスクがあるにもかかわらず、Ｖｏｎが所定の閾値（第１の閾値）を超えてＨｉ状態となることがある。この場合、制御部１は、ディスクなし状態であると判定してしまい、その結果、ディスクのローディングが開始されず、ユーザはディスク再生装置の故障であると誤解してしまう。
【００３５】
そこで、制御部１において、ディスクのあり／なしを判定するための閾値（第１の閾値）を、基準閾値Ｖｔｈから、発光部２１がＯＦＦのとき（非発光のとき）の受光部２２の受光電圧Ｖｏｆｆを基準閾値Ｖｔｈに加えた値「Ｖｔｈ＋Ｖｏｆｆ」に変更し、これを新たな閾値（新たな第１の閾値）として、発光時の受光電圧Ｖｏｎのレベル（ＨｉまたはＬｏ）を判定する（ステップＳＴ０５）。ディスクによって発光部２１からの光が遮られていれば、図７（ｂ）に示すように、Ｖｏｎ＜Ｖｔｈ＋Ｖｏｆｆとなり、判定結果はＬｏレベルとなる。よって、Ｖｏｎ＜Ｖｔｈ＋Ｖｏｆｆの場合（ステップＳＴ０５のＹＥＳの場合）には、制御部１はディスクありと正しく判定し（ステップＳＴ０６）、Ｖｏｎ≧Ｖｔｈ＋Ｖｏｆｆの場合（ステップＳＴ０５のＮＯの場合）には、ディスクなしと判定する（ステップＳＴ０７）。
【００３６】
このように、発光部２１がＯＦＦのときの受光部２２の受光電圧に基づいてディスクあり／なしの判定閾値（第１の閾値）を変更することにより、ディスク再生装置の外乱光への耐性を向上することができる。
【００３７】
一方、ステップＳＴ０２において、受光電圧Ｖｏｆｆ≧Ｖｔｈである場合（ステップＳＴ０２のＮＯの場合）には、外乱光の測定レベルが非常に大きいため、ディスクの正常な検出は不可能であると判定する（ステップＳＴ０９）。なお、この判定のための閾値（第２の閾値）として、この実施の形態２においては基準電圧Ｖｔｈ（変更前の第１の閾値と同じ値）を使用したが、この値とは異なる別の値を設定するようにしてもよい。
【００３８】
この場合には、実施の形態１と同様に、制御部１は、ユーザに外乱光により検出不能となっていることを通知するために、検出不能通知部（表示部６、音声出力部７または専用通知部８）に検出不能信号を出力し、検出不能通知部（表示部６、音声出力部７または専用通知部８）は、その検出不能信号を受信した場合に、外乱光によりディスク検出不能状態になっていることや、対策としてディスク挿入口を手で覆い外乱光を遮るといった方法があること等をユーザに通知する（ステップＳＴ１０）。
【００３９】
以上のように、この発明の実施の形態２に係るディスク再生装置によれば、外乱光の影響をできる限り抑えてディスクを正常に検出可能とすることができる。また、ディスクの正常な検出が困難となるほどの外乱光を受けた場合には、その旨をユーザに通知することにより、ユーザは、装置が故障しているわけではなく、外乱光によりディスクが正常に検知できない状態であるということを認識することができるとともに、適切に対処することにより、外乱光の影響があってもディスクを正常にローディングすることができる。
【００４０】
実施の形態３．
この発明の実施の形態３に係るディスク再生装置は、実施の形態１または実施の形態２に係るディスク再生装置において、さらに、外乱光への耐性を向上するために、発光部２１がＯＦＦのときに測定した受光部２２の受光電圧が大きい場合に、発光部２１の発光量と受光部２２の受光感度を変更するものである。なお、ディスク再生装置の構成については、実施の形態１における図１，図２と同じであるため、説明を省略する。
ただし、この実施の形態３における発光部回路３は、制御部１からの発光制御信号を受けて受光部２１のＯＮ／ＯＦＦ（発光／非発光）を切替えるだけでなく、制御部１からの感度ゲイン切替信号を受けて発光部２１の発光量を変更する。
また、受光部回路４は、受光部２２から流れる受光電流を受光電圧に変換し制御部１へ出力するだけでなく、制御部１からの感度ゲイン切替信号により受光部２２の受光感度を変更する。
【００４１】
図８は、この発明の実施の形態３に係るディスク再生装置における光センサ２、発光部回路３、受光部回路４の全体回路構成例を示す図である。発光制御信号によりトランジスタＴｒ１をＯＮ／ＯＦＦすることでＬＥＤ（発光部２１）のＯＮ／ＯＦＦを制御する。ＬＥＤの発光量は抵抗Ｒ１、抵抗Ｒ３（ゲイン切替信号でトランジスタＴｒ２をＯＮ／ＯＦＦすることにより接続状態を切替えることが可能）で制御する。フォトトランジスタＰＴ（受光部２２）が流す受光電流は抵抗Ｒ２、抵抗Ｒ４（感度切替信号でトランジスタＴｒ３をＯＮ／ＯＦＦすることにより接続状態を切替えることが可能）で受光電圧に変換し、制御部１へ出力する。
【００４２】
ここで、感度ゲイン切替信号とは、発光部２１の発光量と受光部２２の受光感度を制御するための信号であり、通常はＯＦＦに設定されている。（感度ゲイン切替信号がＯＦＦのときは、低消費電流化、発光素子の長寿命化などのため、発光部２１の発光量は少なくなり、受光部２２の受光感度は高くなるように設定されている。）しかしながら、発光部２１がＯＦＦのときの受光部２２の受光電圧が大きくてディスクを正常に検出できない場合には、感度ゲイン切替信号をＯＮにすることにより、発光部２１の発光量を上げるとともに、受光部２２の受光感度を下げることができる。これにより、発光部２１からの光を受光するときに生じる電圧は変化させずに、外乱光を受光することで生じる電圧のみを小さくすることができる。
【００４３】
図９は、この発明の実施の形態３に係るディスク再生装置の動作を示すフローチャートである。また、図１０は、ディスクのあり／なしを検出する処理を説明する図であり、ここでは、ディスクありの場合を示している。以下、図９及び図１０に沿って、この発明の実施の形態３に係るディスク再生装置の動作を説明する。
なお、発光部２１は、制御部１からの制御信号により一定の周期でＯＮ／ＯＦＦの切替えが行われているものとする。
【００４４】
まず、発光部２１がＯＦＦとなるタイミングを待つ。そして、発光部２１がＯＦＦとなったとき、受光部２２からの出力電流を受光部回路４で電圧に変換し、発光部２１がＯＦＦのとき（非発光のとき）の受光部２２の受光電圧Ｖｏｆｆとして制御部１に出力する（ステップＳＴ０１）。この受光電圧Ｖｏｆｆは、太陽光などの外乱光によって生じる電圧であり、外乱光の影響をまったく受けていないときにはグランドレベル（ＧＮＤ）であり、また、外乱光の影響が大きい環境ではＶｏｆｆは大きく、外乱光の影響が小さい環境下ではＶｏｆｆは小さくなる。
【００４５】
次に、測定した受光電圧Ｖｏｆｆを、あらかじめ設定された基準閾値Ｖｔｈ（第１の閾値）と比較する（ステップＳＴ０２）。Ｖｏｆｆ＜Ｖｔｈである場合（ステップＳＴ０２のＹＥＳの場合）には、ステップＳＴ０３へ進む。このステップＳＴ０３以降、ステップＳＴ０７までの処理については、実施の形態２において図６のフローチャートを用いて説明したものと同じであるので、ここでは説明を省略する。
【００４６】
ステップＳＴ０２において、受光電圧Ｖｏｆｆ≧Ｖｔｈである場合（外乱光の測定レベルが大きい場合（ステップＳＴ０２のＮＯの場合））には、図１０（ａ）に示すように、ディスクがあるにもかかわらず、受光部２２の受光電圧が基準閾値Ｖｔｈ（第１の閾値）より小さくなることはなく、常にＨｉ状態を検出してしまう。この場合、制御部１は、常にディスクなし状態であると判定してしまい、その結果、ディスクのローディングが開始されず、ユーザはディスク再生装置の故障であると誤解してしまう。
【００４７】
そこで、受光電圧Ｖｏｆｆ≧Ｖｔｈの場合には、制御部１から発光部回路３と受光部回路４に感度ゲイン切替信号を送り、発光部２１の発光量を上げるとともに、受光部２２の受光感度を下げる（ステップＳＴ１１）。これにより外乱光を受光することで生じる電圧のみが小さくなるため、ディスクなしの場合には、発光部２１がＯＦＦのときのみ受光電圧が小さくなり、ディスクありの場合には、図１０（ｂ）に示すように、発光部２１のＯＮ／ＯＦＦにかかわらず受光電圧が全体的に小さくなる。
【００４８】
その後、再び発光部がＯＦＦとなるタイミングを待って受光電圧Ｖｏｆｆを再度測定する（ステップＳＴ１２）。そして、制御部１において基準閾値Vｔｈをディスクの正常な検出が可能か否かの判定閾値（第２の閾値）として、受光電圧ＶｏｆｆをＶｔｈ（第２の閾値）と比較する（ステップＳＴ１３）。Ｖｏｆｆ＜Ｖｔｈの場合（ステップＳＴ１３のＹＥＳの場合）は、制御部１は、ディスクを正常に検出可能であると判断し、ディスクのあり／なしを判定する処理を行うため、ステップＳＴ０３へ進む。以降、ステップＳＴ０７までの処理については説明を省略する。最後に、感度ゲイン切替信号をリセットし（ステップＳＴ０８）、ステップＳＴ０１へ戻る。なお、図９に示すフローチャートでは、ここでも実施の形態２と同様に、ディスクのあり／なしを判定するための閾値（第１の閾値）を変更する処理を行うものとしているが、発光部２１の発光量を上げて受光部２２の受光感度を下げた後には、ディスクのあり／なしを判定するための閾値（第１の閾値）は基準閾値Ｖｔｈのまま、ディスクのあり／なしを判定するようにしてもよい。
【００４９】
一方、Ｖｏｆｆ≧Ｖｔｈの場合（ステップＳＴ１３のＮＯの場合）には、ステップＳＴ０９へ進み、制御部１は、外乱光の測定レベルが非常に大きいためディスクの正常な検出は不可能であると判定する（ステップＳＴ０９）。なお、この判定のための閾値（第２の閾値）として、この実施の形態３においても基準電圧Ｖｔｈ（変更前の第１の閾値と同じ値）を使用したが、この値とは異なる別の値を設定するようにしてもよい。
【００５０】
そして、実施の形態１，２と同様に、制御部１は、ユーザに外乱光により検出不能となっていることを通知するために、検出不能通知部（表示部６、音声出力部７または専用通知部８）に検出不能信号を出力し、検出不能通知部（表示部６、音声出力部７または専用通知部８）は、その検出不能信号を受信した場合に、外乱光によりディスク検出不能状態になっていることや、対策としてディスク挿入口を手で覆い外乱光を遮るといった方法があること等をユーザに通知する（ステップＳＴ１０）。
【００５１】
以上のように、この発明の実施の形態３に係るディスク再生装置によれば、外乱光の影響をさらにできる限り抑えてディスクを正常に検出可能とすることができる。また、ディスクの正常な検出が困難となるほどの外乱光を受けた場合には、その旨をユーザに通知することにより、ユーザは、装置が故障しているわけではなく、外乱光によりディスクが正常に検知できない状態であるということを認識することができるとともに、適切に対処することにより、外乱光の影響があってもディスクを正常にローディングすることができる。
【００５２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５３】
１  制御部、２  光センサ、２１  発光部、２２  受光部、３  発光部回路、４  受光部回路、５  操作パネル、６  表示部、７  音声出力部、８  専用通知部、１０  ディスク再生装置、１１  ディスク、１２  プリズム、１３  ディスク搬送ローラ、１４  遮光板。
【図１】
2013020666.tif 000003
【図２】
2013020666.tif 000004
【図３】
2013020666.tif 000005
【図４】
2013020666.tif 000006
【図５】
2013020666.tif 000007
【図６】
2013020666.tif 000008
【図７】
2013020666.tif 000009
【図８】
2013020666.tif 000010
【図９】
2013020666.tif 000011
【図１０】
2013020666.tif 000012